(57)【要約】【課題】  書き込み装置の書き込み電源のみで書き込みを可能とする。【解決手段】内部電源をオフになると、書き込み電源領域４１０、および、内部電源領域４２０には、内部電源が供給されず、電源スイッチ４５０が、オフになり、書き込み電源領域４１０と内部電源領域４２０とは電源パターンが不導通になる。接続コネクタ５００からの書き込み電源をオンになると、書き込み電源が、データ格納回路４１１、書き込み制御回路４１２に供給される。ここで、電源スイッチ４５０がオフなので、書き込み電源は、内部電源領域４２０には、供給されない。接続コネクタ５００、書き込み用ピン４０３を経由し、書き込み制御情報、書き込みデータが書き込み制御回路４１２に入力される。書き込み制御回路４１２は、書き込み制御情報に基づき、書き込みデータをデータ格納回路４１１に書き込む。【選択図】      図２
2008152443.tif 000002
【特許請求の範囲】
【請求項１】
不揮発性のデータ格納回路を含む第１の領域を経由して、前記不揮発性のデータ格納回路を含まない第２の領域へ書き込み装置からの書き込み電源が流れないようにする電源スイッチを有することを特徴とする電子部品。
【請求項２】
基板からの内部電流がオフの場合に、前記第１の領域から前記第２の領域に前記書き込み装置からの前記書き込み電源が流れないようにすることを特徴とする請求項１記載の電子部品。
【請求項３】
不揮発性のデータ格納回路、および、前記データ格納回路に書き込み装置からの書き込み電源を使用して前記書き込み装置からのデータを格納する制御行う書き込み制御回路を含む書き込み電源領域と、それ以外の内部電源領域とを備え、基板からの内部電源がオフになると、前記書き込み電源領域と前記内部電源領域との間で前記内部電源、および、前記書き込み電源を不導通にする電源スイッチを有することを特徴とする電子部品。
【請求項４】
前記基板から前記内部電源を入力する内部電源ピンを前記内部電源領域に備え、前記電源スイッチのオン・オフを制御する電源スイッチ制御信号を前記内部電源ピンからの前記内部電源で生成することを特徴とする請求項３記載の電子部品。
【請求項５】
前記電源スイッチ制御信号のみに使用する前記内部電源ピンを有することを特徴とする請求項４記載の電子部品。
【請求項６】
前記電源スイッチを電界効果型トランジスタで構成することを特徴とする請求項１ないし５のいずれかに記載の電子部品。
【請求項７】
請求項１ないし２のいずれかに記載の１以上の前記電子部品を搭載し、前記電子部品に前記内部電源を供給することを特徴とする基板。
【請求項８】
請求項３ないし６のいずれかに記載の１以上の前記電子部品を搭載し、前記電子部品に前記内部電源を供給することを特徴とする基板。
【請求項９】
請求項７ないし８のいずれかに記載の前記基板と、前記書き込み装置とを有することを特徴とするデータ書き込みシステム。
【請求項１０】
電子部品の電源スイッチが、不揮発性のデータ格納回路を含む第１の領域を経由して、前記不揮発性のデータ格納回路を含まない第２の領域へ書き込み装置からの書き込み電源が流れないようにする手順を含むことを特徴とする電源制御方法。
【請求項１１】
前記電子部品の前記電源スイッチが、基板からの内部電流がオフの場合に、前記第１の領域から前記第２の領域に前記書き込み装置からの前記書き込み電源が流れないようにする手順を含むことを特徴とする請求項１０記載の電源制御方法。
【請求項１２】
不揮発性のデータ格納回路、および、前記データ格納回路に書き込み装置からの書き込み電源を使用して前記書き込み装置からのデータを格納する制御行う書き込み制御回路を含む書き込み電源領域と、それ以外の内部電源領域と、電源スイッチとを備える電子部品における電源制御方法であって、
前記電源スイッチが、基板からの内部電源がオフになると、前記書き込み電源領域と前記内部電源領域との間で前記内部電源、および、前記書き込み電源を不導通にする手順を含むことを特徴とする電源制御方法。
【請求項１３】
前記基板から前記内部電源を入力する内部電源ピンを前記内部電源領域に備える前記電子部品における電源制御方法であって、
前記電源スイッチのオン・オフを制御する電源スイッチ制御信号を前記内部電源ピンからの前記内部電源で生成する手順を含むことを特徴とする請求項１２記載の電源制御方法。
【請求項１４】
１以上の前記電子部品を搭載する基板における電源制御方法であって、前記基板が前記電子部品に前記内部電源を供給する手順を含むことを特徴とする請求項１０ないし１１のいずれかに記載の電源制御方法。
【請求項１５】
不揮発性のデータ格納回路、および、前記データ格納回路に書き込み装置からの書き込み電源を使用して前記書き込み装置からのデータを格納する制御行う書き込み制御回路を含む書き込み電源領域と、それ以外の内部電源領域と、電源スイッチとを備える電子部品を１以上搭載する基板における電源制御方法であって、
前記電源スイッチが、基板からの内部電源がオフになると、前記書き込み電源領域と前記内部電源領域との間で前記内部電源、および、前記書き込み電源を不導通にする手順と、前記基板が、前記電子部品に前記内部電源を供給する手順とを含むことを特徴とする電源制御方法。
【請求項１６】
前記基板から前記内部電源を入力する内部電源ピンを前記内部電源領域に備える前記電子部品を１以上搭載する前記基板における電源制御方法であって、
前記電子部品が、前記電源スイッチのオン・オフを制御する電源スイッチ制御信号を前記内部電源ピンからの前記内部電源で生成する手順と、前記基板が、前記電子部品に前記内部電源を供給する手順とを含むことを特徴とする請求項１５記載の電源制御方法。
【請求項１７】
書き込み装置と、
不揮発性のデータ格納回路、および、前記データ格納回路に前記書き込み装置からの書き込み電源を使用して前記書き込み装置からのデータを格納する制御行う書き込み制御回路を含む書き込み電源領域と、それ以外の内部電源領域と、電源スイッチとを備える電子部品を１以上搭載する基板と、
を有するデータ書き込みシステムにおける電源制御方法であって、
前記電源スイッチが、基板からの内部電源がオフになると、前記書き込み電源領域と前記内部電源領域との間で前記内部電源、および、前記書き込み電源を不導通にする手順と、前記基板が、前記電子部品に前記内部電源を供給する手順とを含むことを特徴とする電源制御方法。
【発明の詳細な説明】
【技術分野】
【０００１】
本発明は、電子部品、基板、データシステム、電源制御方法に関し、特に、データの書き込みを容易にする電子部品、基板、データシステム、電源制御方法に関する。
【背景技術】
【０００２】
従来の、不揮発性メモリへのデータ書き込みに関する技術の一例が、特許文献１に記載されている。この技術は、機器に搭載された不揮発性メモリに対し、コネクタを介して書き込み用のパソコンからデータを書き込む構成をとる。不揮発性メモリへの電源は、前記機器に供給されるものを使用している。
【０００３】
【特許文献１】特開平９−２２３３９７号公報
【発明の開示】
【発明が解決しようとする課題】
【０００４】
上述の従来技術は、機器（基板を含む）に供給される電源が必要であり、不揮発性メモリを搭載する基板を機器から抜き出した状態で、書き込み装置（書き込み用のパソコン）から不揮発性メモリにデータを書き込むことができない、すなわち、書き込み装置（書き込み用のパソコン）の電源のみを使用して書き込みができないので、書き込みが容易ではないという問題点があった。
【０００５】
本発明の目的は、上記問題点を解決する電子部品、基板、データ書き込みシステム、電源制御方法を提供することである。
【課題を解決するための手段】
【０００６】
本発明の第１の電子部品は、不揮発性のデータ格納回路を含む第１の領域を経由して、前記不揮発性のデータ格納回路を含まない第２の領域へ書き込み装置からの書き込み電源が流れないようにする電源スイッチを有する。
【０００７】
本発明の第２の電子部品は、前記第１の電子部品であって、基板からの内部電流がオフの場合に、前記第１の領域から前記第２の領域に前記書き込み装置からの前記書き込み電源が流れないようにする。
【０００８】
本発明の第３の電子部品は、不揮発性のデータ格納回路、および、前記データ格納回路に書き込み装置からの書き込み電源を使用して前記書き込み装置からのデータを格納する制御行う書き込み制御回路を含む書き込み電源領域と、それ以外の内部電源領域とを備え、基板からの内部電源がオフになると、前記書き込み電源領域と前記内部電源領域との間で前記内部電源、および、前記書き込み電源を不導通にする電源スイッチを有する。
【０００９】
本発明の第４の電子部品は、前記第３の電子部品であって、前記基板から前記内部電源を入力する内部電源ピンを前記内部電源領域に備え、前記電源スイッチのオン・オフを制御する電源スイッチ制御信号を前記内部電源ピンからの前記内部電源で生成する。
【００１０】
本発明の第５の電子部品は、前記第４の電子部品であって、前記電源スイッチ制御信号のみに使用する前記内部電源ピンを有する。
【００１１】
本発明の第６の電子部品は、前記第１ないし第５のいずれかの電子部品であって、前記電源スイッチを電界効果型トランジスタで構成する。
【００１２】
本発明の第１の基板は、前記第１ないし第２のいずれかの１以上の前記電子部品を搭載し、前記電子部品に前記内部電源を供給する。
【００１３】
本発明の第２の基板は、前記第３ないし第６のいずれかの１以上の前記電子部品を搭載し、前記電子部品に前記内部電源を供給する。
【００１４】
本発明のデータ書き込みシステムは、前記第１ないし第２のいずれかの前記基板と、前記書き込み装置とを有する。
【００１５】
本発明の第１の電源制御方法は、電子部品の電源スイッチが、不揮発性のデータ格納回路を含む第１の領域を経由して、前記不揮発性のデータ格納回路を含まない第２の領域へ書き込み装置からの書き込み電源が流れないようにする手順を含む。
【００１６】
本発明の第２の電源制御方法は、前記第１の電源制御方法であって、前記電子部品の前記電源スイッチが、基板からの内部電流がオフの場合に、前記第１の領域から前記第２の領域に前記書き込み装置からの前記書き込み電源が流れないようにする手順を含む。
【００１７】
本発明の第３の電源制御方法は、不揮発性のデータ格納回路、および、前記データ格納回路に書き込み装置からの書き込み電源を使用して前記書き込み装置からのデータを格納する制御行う書き込み制御回路を含む書き込み電源領域と、それ以外の内部電源領域と、電源スイッチとを備える電子部品における電源制御方法であって、前記電源スイッチが、基板からの内部電源がオフになると、前記書き込み電源領域と前記内部電源領域との間で前記内部電源、および、前記書き込み電源を不導通にする手順を含む。
【００１８】
本発明の第４の電源制御方法は、前記第３の電源制御方法であって、前記基板から前記内部電源を入力する内部電源ピンを前記内部電源領域に備える前記電子部品における電源制御方法であって、前記電源スイッチのオン・オフを制御する電源スイッチ制御信号を前記内部電源ピンからの前記内部電源で生成する手順を含む。
【００１９】
本発明の第５の電源制御方法は、前記第１ないし第２のいずれかの電源制御方法であって、１以上の前記電子部品を搭載する基板における電源制御方法であって、前記基板が前記電子部品に前記内部電源を供給する手順を含む。
【００２０】
本発明の第６の電源制御方法は、不揮発性のデータ格納回路、および、前記データ格納回路に書き込み装置からの書き込み電源を使用して前記書き込み装置からのデータを格納する制御行う書き込み制御回路を含む書き込み電源領域と、それ以外の内部電源領域と、電源スイッチとを備える電子部品を１以上搭載する基板における電源制御方法であって、前記電源スイッチが、基板からの内部電源がオフになると、前記書き込み電源領域と前記内部電源領域との間で前記内部電源、および、前記書き込み電源を不導通にする手順と、前記基板が、前記電子部品に前記内部電源を供給する手順とを含む。
【００２１】
本発明の第７の電源制御方法は、前記第６の電源制御方法であって、前記基板から前記内部電源を入力する内部電源ピンを前記内部電源領域に備える前記電子部品を１以上搭載する前記基板における電源制御方法であって、前記電子部品が、前記電源スイッチのオン・オフを制御する電源スイッチ制御信号を前記内部電源ピンからの前記内部電源で生成する手順と、前記基板が、前記電子部品に前記内部電源を供給する手順とを含む。
【００２２】
本発明の第８の電源制御方法は、書き込み装置と、不揮発性のデータ格納回路、および、前記データ格納回路に前記書き込み装置からの書き込み電源を使用して前記書き込み装置からのデータを格納する制御行う書き込み制御回路を含む書き込み電源領域と、それ以外の内部電源領域と、電源スイッチとを備える電子部品を１以上搭載する基板と、を有するデータ書き込みシステムにおける電源制御方法であって、前記電源スイッチが、基板からの内部電源がオフになると、前記書き込み電源領域と前記内部電源領域との間で前記内部電源、および、前記書き込み電源を不導通にする手順と、前記基板が、前記電子部品に前記内部電源を供給する手順とを含む。
【発明の効果】
【００２３】
本発明は、不揮発性のデータ格納回路へのデータの書き込みが容易になるという効果を持つ。
【００２４】
その理由は、不揮発性のデータ格納回路を含む第１の領域を経由して、不揮発性のデータ格納回路を含まない第２の領域へ書き込み装置からの書き込み電源が流れないようにする電源スイッチを備える構成とし、書き込み装置からの電源のみで不揮発性のデータ格納回路へのデータの書き込みを可能とするからである。
【発明を実施するための最良の形態】
【００２５】
次に、本発明の第１の実施の形態について図面を参照して詳細に説明する。図１は、本発明の第１の実施の形態の構成を示すブロック図である。図１を参照すると、本発明の第１の実施の形態のデータ書き込みシステムは、基板１００と、書き込み装置２００と、それらを接続するケーブル３００とを含む。基板１００は、電子部品４００、電子部品９００、および、接続コネクタ５００を搭載する。
【００２６】
接続コネクタ５００と、書き込み装置２００とは、ケーブル３００で接続される。また、接続コネクタ５００と電子部品４００とは、基板１００上のパターンで接続される。ここで、電子部品４００とは、たとえば、ＰＬＤ（プログラマブルロジックデバイス）、ＬＳＩ、フラッシュＲＯＭ内蔵マイクロコンピュータ等である。
【００２７】
図２は、電子部品４００の構成を示すブロック図である。図２を参照すると、電子部品４００は、データ（ここでは、プログラムを含む概念とする）を格納するデータ格納回路４１１（たとえば、フラッシュＲＯＭ）、および、書き込み制御回路４１２を含む「書き込み電源領域４１０」と、残りの部分である「内部電源領域４２０」とに分割される。
【００２８】
また、書き込み電源領域４１０は、データ格納回路４１１、書き込み制御回路４１２以外の電子回路を含んでもよい。また、内部電源領域４２０は、書き込みに関係しない電子回路４２１（たとえば、読み出し制御の回路）を含む。また、電子部品４００は、基板１００から供給される内部電源をオン・オフする電源スイッチ４５０を含む。
【００２９】
内部電源は、内部電源ピン４０６から入力され、内部電源領域４２０内の電源パターンを通して電子回路４２１に供給される。さらに、内部電源は、電源スイッチ４５０を経由して、書き込み電源領域４１０内の電源パターンを通してデータ格納回路４１１、書き込み制御回路４１２に供給される。
【００３０】
内部電源は、電源スイッチ４５０がオンであると、書き込み電源領域４１０、および、内部電源領域４２０の両方に供給される。電源スイッチ４５０がオフであると、内部電源は、書き込み電源領域４１０には供給されず、内部電源領域４２０にのみ供給される。
【００３１】
また、内部電源ピン４０７から入力される内部電源（内部電源ピン４０６から入力される内部電源と同一）から生成される電源スイッチ制御信号４５１が、電源スイッチ４５０のオン・オフを制御する。電源スイッチ４５０は、内部電源がある一定値以上であると、オンになり、そうでないと、オフになる。
【００３２】
また、書き込み装置２００からの書き込みデータは、接続コネクタ５００、書き込み用ピン４０３を経由して書き込み制御回路４１２に入力される。また、書き込み装置２００からの書き込み電源は、接続コネクタ５００、書き込み電源ピン４０４を経由して電源パターンを通してデータ格納回路４１１、書き込み制御回路４１２に供給される。
【００３３】
また、書き込み電源領域４１０内で、内部電源の電源パターンと書き込み電源の電源パターンとは接続されている。
【００３４】
次に、本発明の第１の実施の形態の動作について図面を参照して説明する。図３は、本発明の第１の実施の形態の動作を示すフローチャートである。図３を参照すると、データをデータ格納回路４１１に書き込む場合に、使用者が、内部電源をオフ（または、基板１００を本体装置から抜き出す）にすると、内部電源ピン４０６、および、内部電源ピン４０７から入力される内部電源のレベル（たとえば、電圧）が、一定値以下になる。
【００３５】
これにより、書き込み電源領域４１０、および、内部電源領域４２０には、内部電源が供給されなくなり（図３ステップＳ１）、電源スイッチ４５０が、オフになり（ステップＳ２）、書き込み電源領域４１０と内部電源領域４２０とは電源パターンが不導通になる（ステップＳ３）。
【００３６】
次に、使用者が、書き込み装置２００を動作させ、書き込み電源をオンにすると、書き込み電源がケーブル３００、接続コネクタ５００、書き込み電源ピン４０４を経由し、データ格納回路４１１、書き込み制御回路４１２に供給される（ステップＳ４）。ここで、電源スイッチ４５０がオフなので、書き込み電源は、内部電源領域４２０には、供給されない。
【００３７】
次に、使用者が、書き込み装置２００にデータ書き込みの操作を実施すると、ケーブル３００、接続コネクタ５００、書き込み用ピン４０３を経由し、書き込み制御情報、書き込みデータが書き込み制御回路４１２に入力される（ステップＳ５）。書き込み制御回路４１２は、書き込み制御情報に基づき、書き込みデータをデータ格納回路４１１に書き込む（ステップＳ６）。
【００３８】
使用者が、書き込み操作を終了し、書き込み装置２００を停止させ、書き込み電源をオフにすると、書き込み電源ピン４０４からの書き込み電源は、オフになる（ステップＳ７）。次に、使用者が、内部電源をオン（または、本体装置に基板１００を接続し、内部電源をオン）にすると、内部電源ピン４０６、および、内部電源ピン４０７から入力される内部電源のレベル（たとえば、電圧）が、一定値以上になる。
【００３９】
これにより、内部電源領域４２０に内部電源が供給され（ステップＳ８）、電源スイッチ４５０が、オンになり（ステップＳ９）、書き込み電源領域４１０と内部電源領域４２０とは電源パターンが導通し、書き込み電源領域４１０に内部電源が供給される（ステップＳ１０）。
【００４０】
本発明の第１の実施の形態の効果は、データ格納回路４１１へのデータ書き込みに、基板１００からの内部電源を必要とせず、書き込み装置２００からの書き込み電源のみで可能となることである。
【００４１】
その理由は、内部電源がオフの場合に、データ格納回路４１１、および、書き込み制御回路４１２を含む書き込み電源領域４１０への内部電源の供給を遮断する電源スイッチ４５０を備え、書き込み時に、内部電源領域４２０、および、他の電子部品９００への書き込み電流の流入を抑止する構成をとるからである。すなわち、内部電源領域４２０への書き込み電流の流入の抑止により、書き込み電源領域４１０に十分な電力が供給される。
【００４２】
次に、本発明の第１の実施の形態の実施例について図面を参照して詳細に説明する。図４は、本発明の第１の実施の形態の実施例の構成を示すブロック図である。
【００４３】
図４を参照すると、本発明の第１の実施の形態の実施例は、基板１００に、共通電源層７００を使用するＰＬＤ６００、ＬＳＩ６１０（高集積回路）、ＬＳＩ６２０（高集積回路）、および、接続コネクタ５００が搭載されている。本体装置と基板１００とは、本体接続コネクタ８００で接続される。  内部電源ピン４０６、内部電源ピン４０７は、すべて、共通電源層７００に接続される。
【００４４】
ＰＬＤ６００は、接続コネクタ５００と接続され、書き込み電源ピン４０４と接続コネクタ５００の書き込み電源供給ピン５０２とが接続されている。ＰＬＤ６００内の書き込み制御回路４１２は、書き込み用ピン４０３を介して接続コネクタ５００の書き込み情報供給ピン５０１と接続されている。
【００４５】
書き込み制御回路４１２は、コンフィグレーションメモリ４１３（データ書き込み可能な不揮発性のメモリ）と接続され、ＰＬＤ６００の他の電子回路４２１（機能ブロック）とは別の電源領域である書き込み電源領域４１０に配置されている。書き込み電源領域４１０と内部電源領域４２０とは、電源スイッチ４５０を介して接続されている。
【００４６】
次に、本発明の第１の実施の形態の実施例の動作について説明する。基板１００が本体接続コネクタ８００を介して本体装置に接続されている場合、本体接続コネクタ８００の電源ピンを経由してＰＬＤ６００の内部電源ピン４０６、内部電源ピン４０７に電源が供給される。内部電源ピン４０７に電源が供給されると電源スイッチ制御信号４５１は有効になる。
【００４７】
電源スイッチ制御信号４５１が有効となると、電源スイッチ４５０はオンとなり、内部電源領域４２０と書き込み電源領域４１０とが接続され、書き込み電源領域４１０に内部電源が供給される。書き込み電源領域４１０に内部電源が供給されるので、接続コネクタ５００に書き込み装置２００を接続し、書き込み装置２００から書き込みが行える。
【００４８】
一方、基板１００が、本体接続コネクタ８００を介して本体装置に接続されていない場合、内部電源は、ＰＬＤ６００の内部電源ピン４０６、内部電源ピン４０７には供給されない。接続コネクタ５００に書き込み装置２００を接続し、書き込み装置２００からの書き込み電源が、接続コネクタ５００の書き込み電源供給ピン５０２、書き込み電源ピン４０４介して書き込み電源が供給されると、書き込み電源領域４１０に書き込み電源が供給される。
【００４９】
電源スイッチ制御信号４５１は、内部電源ピン４０６、内部電源ピン４０７に内部電源が供給されていないので無効となり、電源スイッチ４５０はオフとなる。電源スイッチ４５０がオフになると、内部電源領域４２０と書き込み電源領域４１０とは切り離される。
【００５０】
書き込み電源領域４１０と内部電源領域４２０とが、切り離されていると、書き込み装置２００からの書き込み電源は、内部電源領域４２０、ＬＳＩ６１０、ＬＳＩ６２０に供給されない。したがって、ＰＬＤ６００のコンフィグレーションメモリ４１３にデータを書き込む部分にのみ書き込み電源を供給している状態となる。よって、書き込み装置２００の電源供給能力でも電源不足の状態にならず、書き込みを行うことができる。
【００５１】
次に、電源スイッチ４５０の実施例について説明する。図５は、電源スイッチ４５０の実施例の構成を示すブロック図である。図５を参照すると、電源スイッチ４５０は、ＦＥＴ４５３（電界効果型トランジスタ）と、抵抗４５７とを含んで構成される。
【００５２】
ＦＥＴソース４５４は、書き込み電源領域４１０の電源パターンに接続される。ＦＥＴドレイン４５５は、内部電源領域４２０の電源パターンに接続される。ＦＥＴベース４５６は抵抗４５７を介して電源スイッチ制御信号４５１と接続される。内部電源ピン４０７に内部電源が供給されるとＦＥＴ４５３がオンとなり、内部電源ピン４０６からの内部電源が内部電源領域４２０を経由して書き込み電源領域４１０に供給される。
【００５３】
次に、本発明の第２の実施の形態について図面を参照して説明する。図６は、本発明の第２の実施の形態の電子部品６３０の構成を示すブロック図である。図６を参照すると、電子部品６３０は、本発明の第１の実施の形態の電子部品４００と異なり、電源スイッチ制御信号４５１のための内部電源ピン４０７を備えていない。電子部品６３０の内部電源ピン４０６からの内部電源で電源スイッチ制御信号４５２が生成される。
【００５４】
以上の構成により、本発明の第２の実施の形態は、電子部品４００の内部電源ピン４０７が削減できるので、電子部品４００の構成が簡単になるという効果を持つ。
【図面の簡単な説明】
【００５５】
【図１】本発明の第１の実施の形態の構成を示すブロック図。
【図２】電子部品の構成を示すブロック図。
【図３】本発明の第１の実施の形態の動作を示すフローチャート。
【図４】本発明の第１の実施の形態の実施例の構成を示すブロック図。
【図５】電源スイッチの実施例の構成を示すブロック図。
【図６】本発明の第２の実施の形態の電子部品の構成を示すブロック図。
【符号の説明】
【００５６】
１００    基板
２００    書き込み装置
３００    ケーブル
４００    電子部品
４０３    書き込み用ピン
４０４    書き込み電源ピン
４０６    内部電源ピン
４０７    内部電源ピン
４１０    書き込み電源領域
４１１    データ格納回路
４１２    書き込み制御回路
４１３    コンフィグレーションメモリ
４２０    内部電源領域
４２１    電子回路
４５０    電源スイッチ
４５１    電源スイッチ制御信号
４５２    電源スイッチ制御信号
４５３    ＦＥＴ
４５４    ＦＥＴソース
４５５    ＦＥＴドレイン
４５６    ＦＥＴベース
４５７    抵抗
５００    接続コネクタ
５０１    書き込み情報供給ピン
５０２    書き込み電源供給ピン
６００    ＰＬＤ
６１０    ＬＳＩ
６２０    ＬＳＩ
６３０    電子部品
７００    共通電源層
８００    本体接続コネクタ
９００    電子部品
【図１】
2008152443.tif 000003
【図２】
2008152443.tif 000004
【図３】
2008152443.tif 000005
【図４】
2008152443.tif 000006
【図５】
2008152443.tif 000007
【図６】
2008152443.tif 000008